(57)【特許請求の範囲】
【請求項１】
複数のスライド用固定端子と複数のプッシュ用固定端子とを保持するベースと、摘み用開口を有し、かつ前記ベースを覆うカバーと、
左右方向に移動可能にして前記スライド用固定端子と対向配置され、前記左右方向の移動により前記スライド用固定端子間の接続を切り換えるスライド接片と、
前記プッシュ用固定接点と対向配置され、中央が押下されると弾性的に反転して前記プッシュ用固定接点間の接続を切り換える皿形可動接片と、
前記カバーの摘み用開口を通って外部へ突出する摘み部を有し、かつ皿形可動接片及び前記スライド接片を覆って前記カバー内に収納され、前記スライド接片とともに左右方向にスライド可能で、またプッシュ方向に押されると前記皿形可動接片を押下する上下方向に移動可能な操作部材、
とを備えたプッシュ・スライドスイッチにおいて、
上記操作部材を、前記スライド接片と一体に移動する第１操作部材と、上記摘み部を有し、左右方向には前記第１操作部材と一体に移動し、プッシュ方向には前記第１操作部材とは独立に移動して前記皿形可動接片の切り換え操作を行う第２操作部材とで構成し、
更に、上記第２操作部材と上記皿形可動接片との間に、前記第２操作部材のプッシュ方向の移動に連動してプッシュ方向に移動して、前記皿形可動接片の略中央を押下する板ばね部材を設けたことを特徴とするプッシュ・スライドスイッチ。
【発明の詳細な説明】
【技術分野】
【０００１】
本発明はプッシュ・スライドスイッチに関するものであり、特に、一つの摘みの操作によってプッシュスイッチとしても、スライドスイッチとしても使用できるプッシュ・スライドスイッチに関するものである。
【背景技術】
【０００２】
従来、一つの摘みの操作によってプッシュスイッチとしても、スライドスイッチとしても使用できるプッシュ・スライドスイッチは知られている（例えば、特許文献１参照）。
【０００３】
特許文献１で知られるプッシュ・スライドスイッチは、スライドスイッチ機能部分とプッシュスイッチ機能部分のいずれにも、摺動接点方式を使用した構造を採用している。
【特許文献１】特開２００１−２２９７８１号公報。
【発明の開示】
【発明が解決しようとする課題】
【０００４】
しかしながら、特許文献１記載のプッシュ・スライドスイッチにおいては、スライドスイッチ機能部分とプッシュスイッチ機能部分のいずれにも、摺動接点方式を使用しているため、プッシュストロークが大きくなるという問題点があった。プッシュストロークが大きいということは、このプッシュ・スライドスイッチが組み込まれる機器において、デザイン上、次のような問題が発生する。
【０００５】
非操作時においては、スイッチを操作する摘み部の、機器の操作パネル面からの突出量が大きくなり、摘み部に物が当たり易く、破損や誤操作も多くなる。また、操作時には、摘み部の操作パネルへの潜り込み量が大きくなり、外部から中が見えて見栄えを悪くしたり、異物が挟まったり、入ったりする。さらに、スイッチ全体が大形化するという問題や、操作感触も得難いという問題もあった。
【０００６】
そこで、プッシュストロークを短縮させ、かつ小形化とシャープな操作感触が得られるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、複数のスライド用固定端子と複数のプッシュ用固定端子とを保持するベースと、摘み用開口を有し、かつ前記ベースを覆うカバーと、
左右方向に移動可能にして前記スライド用固定端子と対向配置され、前記左右方向の移動により前記スライド用固定端子間の接続を切り換えるスライド接片と、
前記プッシュ用固定接点と対向配置され、中央が押下されると弾性的に反転して前記前記プッシュ用固定接点間の接続を切り換える皿形可動接片と、
前記カバーの摘み用開口を通って外部へ突出する摘み部を有し、かつ皿形可動接片及び前記スライド接片を覆って前記カバー内に収納され、前記スライド接片とともに左右方向にスライド可能で、またプッシュ方向に押されると前記皿形可動接片を押下する上下方向に移動可能な操作部材、
とを備えたプッシュ・スライドスイッチにおいて、
上記操作部材を、前記スライド接片と一体に移動する第１操作部材と、上記摘み部を有し、左右方向には前記第１操作部材と一体に移動し、プッシュ方向には前記第１操作部材とは独立に移動して前記皿形可動接片の切り換え操作を行う第２操作部材とで構成し、
更に、上記第２操作部材と上記皿形可動接片との間に、前記第２操作部材のプッシュ方向の移動に連動してプッシュ方向に移動して、前記皿形可動接片の略中央を押下する板ばね部材を設けたプッシュ・スライドスイッチを提供する。
【０００８】
この構成によれば、操作部材を左右方向にスライドさせると、スライド用固定端子とスライド接片とでなるスライドスイッチ機能部分が操作され、プッシュ方向に押すと、プッシュ用固定端子と皿形可動接片とでなるプッシュスイッチ機能部分が操作される。プッシュスイッチ機能部分では、操作部材により皿形可動接片の中央が押下されると、表裏方向
で弾性的に反転する、いわゆる打接点(タクテール)方式を使用しているため、プッシュストロークを短小化することができるとともに、シャープな操作感触が得られる。
【００１０】
この構成によれば、第２操作部材の摘み部により該第２操作部材を左右方向に移動させると、第１操作部材も左右方向に移動してスライドスイッチ機能部分が操作され、第２操作部材の摘み部を押下すると、第１の操作部材はそのままで第２操作部材だけがプッシュ方向に移動されてプッシュスイッチ機能部分が操作される。
【００１２】
この構成によれば、第２操作部材の移動位置に関係なく、第２操作部材をプッシュ方向に押すと、これに連動して板ばね部材がプッシュ方向に移動されて皿形可動接片の略中央を押下する。
【発明の効果】
【００１３】
請求項１記載の発明は、プッシュスイッチ機能部分では、打接点(タクテール)方式を使用しているため、プッシュストロークを短小化することができるとともに、シャープな操作感触が得られ、小型化にも寄与する。
【００１４】
この発明は、第２操作部材の摘み部を押下すると、第１の操作部材はそのままで、第２操作部材だけがプッシュ方向に移動されてプッシュスイッチ機能部分を操作することができる。
【００１５】
この発明は、第２操作部材の移動位置に関係なく、第２操作部材をプッシュ方向に押すと、これに連動して板ばね部材がプッシュ方向に移動されて皿形可動接片の略中央を押下するので、前記の効果に加えて、操作が確実に行えるという効果を期待することができる。
【発明を実施するための最良の形態】
【００１６】
以下、本発明のプッシュ・スライドスイッチについて、好適な実施例をあげて説明する。
【００１７】
プッシュストロークを短縮させ、かつ小形化とシャープな操作感触が得られるようにするという目的を達成するために、複数のスライド用固定端子と複数のプッシュ用固定端子とを保持する絶縁性のベースと、摘み用開口を有し、かつ前記ベースを覆うカバーと、左右方向に移動可能にして前記スライド用固定端子と対向配置され、前記左右方向の移動により前記スライド用固定端子間の接続を切り換えるスライド接片と、前記プッシュ用固定接点と対向配置され、中央が押下されると表裏方向で弾性的に反転して前記プッシュ用固定接点間の接続を切り換えるドーム状の皿形可動接片と、前記カバーの摘み用開口を通って外部へ突出する摘み部を有し、かつ前記皿形可動接片及び前記スライド接片を覆って前記カバー内に収納され、前記スライド接片とともに左右方向にスライド可能で、またプッシュ方向に押されると前記皿形可動接片を押下する上下方向に移動可能な絶縁性の操作部
材、とを備えることにより実現した。
【実施例】
【００１８】
図１〜図７は、本発明の一実施の形態を示す。図４に示すように、プッシュ・スライドスイッチ１は、ベース２、カバー３、第１操作部材４と第２操作部材５とでなる操作部材６、スライド接片７、皿形可動接片８等からなる。
【００１９】
ベース２は、合成樹脂材等、絶縁性の部材で薄い略箱形に形成してなり、内部には、図５に示すように、内底面９に一部が露出するようにしてスライド用固定端子１０，１１，１２が左右方向に一列に並んで配置されているとともに、スライド用固定端子１０〜１２と並列にしてプッシュ用固定端子１３，１４がインサート成形により固定されている。そのスライド用固定端子１０〜１２の各端子部１０ａ〜１２ａ，１１ｂ，１１ｂとプッシュ用固定端子１３，１４の各端子１３ａ，１４ａ，１３ｂ，１４ｂは、それぞれベース２の外面に導出されて露出している。また、プッシュ用固定端子１３，１４は、内底面９の凹部１５内に露出している。
【００２０】
なお、図６は、内底面９に配列されているスライド用固定端子１０〜１２及びプッシュ用固定端子１３，１４の形状及び配列状態を示している。スライド用固定端子１０〜１２の各端子部１０ａ〜１２ａ，１１ｂ，１１ｂとプッシュ用固定端子１３，１４の各端子１３ａ，１４ａ，１３ｂ，１４ｂは、それぞれベース２の外面に導出されて露出している。
【００２１】
また、ベース２の内底面９には、プッシュ用固定端子１３，１４を結ぶラインＬ１（図５参照)上に対応するようにして、１対の位置決め突起１６，１６が左右両側に分かれて形成されている。
【００２２】
一方、ベース２の外側において、その左右両側壁には、各側壁１８，１８から外側に向かって突出してなる１対の係止突起１７，１７が前後に離れて一体に形成されている。
【００２３】
そして、内底面９側において、スライド用固定端子１０〜１２を結ぶラインＬ２(図５参照)上には、スライド接片７が左右方向に移動可能に配置され、凹部１５の内周段部１５ａには、皿形可動接片８が位置決めされて、プッシュ用固定端子１３，１４と非接触の状態で配置されている。
【００２４】
スライド接片７は、金属板ばね材をプレス加工して形成されたものであり、両端にはスライド用固定端子１０〜１２に圧接接続する接点２０，２０が各々形成されている。このスライド接片７は、スライド用固定端子１０〜１２とともにスライドスイッチ機能部を構成する。すなわち、スライド接片７は、図７の(ａ)に示すように、右側にスライド移動されているときには、スライド用固定端子１１とスライド用固定端子１２とを接続し、同図(ｂ)に示すように、左側にスライド移動させると、スライド用固定端子１０とスライド用固定端子１１との接続に切り換えるように動作する。
【００２５】
皿形可動接片８は、金属板ばね材をプレス加工して、ドーム状に湾曲した円形に作られ、中央が押下されると表裏方向で弾性的に反転する可動接片として作られている。この皿形可動接片８は、プッシュ用固定端子１３，１４とともに打接点方式のプッシュスイッチ機能部を構成する。すなわち、皿形可動接片８は、図８の(ａ)に示すように、中央が押下されずに完全なドーム状の形をなしているときには、プッシュ用固定端子１３とプッシュ用固定端子１４との間を離して、電気的にオフの状態にしている。図８の(ｂ)に示すように、中央が押下されると表裏方向に撓んでクリック変形され、中央部がプッシュ用固定端子１３とプッシュ用固定端子１４とに跨って接触し、プッシュ用固定端子１３とプッシュ用固定端子１４とを接触させ、電気的にオンの状態にしている。中央の押下が解かれると
再びクリック変形して図８の(ａ)に示す元の状態に戻り、プッシュ用固定端子１３とプッシュ用固定端子１４との間を離して電気的にオフにする。
【００２６】
第１操作部材４は、合成樹脂製であり、成型品ベース２内に左右方向移動可能に取り付けられるもので、下面にはスライド接片７が一体移動可能に取り付けられ、上面にはディテント係止用凹部２１ａ，２１ｂが左右方向に離れて形成されている。また、プッシュ用固定端子１３，１４と対応する位置には、上下に貫通している開口２２が形成されている。
【００２７】
第２操作部材５は、合成樹脂製であり、第１操作部材４の下面側に配置されるもので、左右方向に延びる板状本体部２３と、該板状本体部２３の上面中央から真っ直ぐ上側に向かって延びる、断面形状が第１操作部材４の開口２２に略等しく形成されている摘み部２４とを一体に有している。そして、第２操作部材５は、第１操作部材４の下面側から、摘み部２４を開口２２に挿入させ、該摘み部２４を第１操作部材４の上に突き出させて第１操作部材４と重ねられた状態で、かつ、間にプレート２５及び絶縁板２６を配してベース２上に設置される。
【００２８】
プレート２５は、金属ばね板をプレス成形されたもので、皿形可動接片８の上側で、ベース２内の左右方向に横たわって配置される。プレート２５の左右両端には、位置決め突起１６，１６と係合位置決めされる切欠部２７，２７が各々設けられている。また、皿形可動接片８の中央部と対応する位置には、皿形可動接片８側に向かって突き出す小突起２８が設けられている。
【００２９】
絶縁板２６は、皿形可動接片８とスライド接片７とプレート２５との間の電気絶縁を図るものである。
【００３０】
カバー３は、操作部材６の上側からベース２に取り付けられるもので、金属板ばね材をプレス加工してなり、本体部３ａと、該本体部３ａの左右両側の一部を下側に折曲させてなる左右の側面部３ｂ，３ｂと、該本体部３ａの前後両側の一部を下側に折曲させてなる前後の側面部３ｃ，３ｃとを一体に設けている。本体部３ａには、操作部材６の摘み部２４と対応する位置に摘み用開口２９を設け、操作部材６のディテント係止用凹部２１ａ，２１ａと対応する位置には、中央に下側に突出した突部３０ａを有するディテントばね３０を設けている。また、左右の側面部３ｂ，３ｂには、ベース２の係止突起１７，１７に対応して、係止爪３１，３１を各々設けている。
【００３１】
このようなプッシュ・スライドスイッチ１は、まず最初に、予めスライド用固定端子１０〜１２とプッシュ用固定端子１３，１４を一体成形して固定したベース２の上方より、皿形可動接片８，絶縁板２６，プレート２５を順に配置する。次に、第１操作部材４に第２操作部材５を重ね合わせるとともに、第１操作部材４の下面にスライド接片７を係合取り付けした状態で、操作部材６をベース２上に配置する。これにより、スライド接片７がスライド用固定端子１０〜１２上に配置され、操作部材６はスライド接片７と皿形可動接片８を覆った状態で配置される。次いで、摘み部２４と摘み用開口２９を対応させて、操作部材６の上側からカバー３を被せ、カバー３の係止爪３１を係止突起１７に係合させ、該カバー３をベース２に取り付ける。これにより、摘み部２４が摘み開口２９からカバー３の外側に突出し、またディテントばね３０の突起３０ａが操作部材６のディテント係止用凹部２１ａ，２１ａに係合可能な状態で組み立てられる。図１〜図３は、この組立後の状態を示している。
【００３２】
このように組み立てられたプッシュ・スライドスイッチ１の動作について説明する。最初に摘み部２４を左右に動かした場合、すなわちスライドスイッチとして使用した場合に
ついて説明する。摘み部２４を動かすと、第１操作部材４と第２操作部材５とが、スライド接片７と一体にスライド移動し、スライド用固定端子１０〜１２の接続が切り換わる。また、所定の位置まで移動されると、ディテントばね３０の突起３０ａが、第１操作部材４のディテント係止用凹部２１ａに落ち込み係合され、所定の位置までスライド切り換えされたことが、操作者の手に感触として得られる。また、再び反対方向に摘み部２４を動かすと、同様にして切り換わり、所定の位置まで移動されると、ディテントばね３０の突起３０ａが第１操作部材４のディテント係止用凹部２１ｂに落ち込み係合され、操作者の手に感触として得られる。
【００３３】
次に、摘み部２４を押下した場合、すなわちプッシュスイッチとして使用した場合について説明する。摘み部２４を押下すると、第１操作部材４はそのままで、第２操作部材４だけが下側に移動する。このときプレート２５を押し下げ、プレート２５が皿形可動接片８をクリック変形させて、プッシュ用固定端子１３とプッシュ用固定端子１４との間を接続させ、電気的にオンの状態を作る。また、摘み部２４の押下を解くと、皿形可動接片８の弾性復帰力で、第２操作部材５が戻され、同時にプッシュ用固定端子１３とプッシュ用固定端子１４との間も離れて、電気的にオフの状態になる。
【００３４】
したがって、このプッシュ・スライドスイッチ１では、プッシュスイッチ機能部分では、打接点(タクテール)方式を使用しているので、プッシュストロークを短小化することができるとともに、シャープな操作感触が得られる。また、小型化も可能になる。
【００３５】
さらに、第２操作部材５の摘み部２４を押下すると、第１の操作部材４はそのままで、第２操作部材５だけがプッシュ方向に移動されてプッシュスイッチ機能部分を操作することができる。
【００３６】
また、図９に示すように第２操作部材５の移動位置に関係なく、第２操作部材５をプッシュ方向に押すと、これに連動して板ばね部材であるプレート２５がプッシュ方向に移動されて皿形可動接片８の略中央を押下するので、スライドスイッチ機能部分の切り換え位置に関係なく、操作が確実に行える。尚、図９（ａ）（ｂ）は第２操作部材５を左方へ移動したときの状態の平面図及び断面図であり、同図（ｃ）及び（ｄ）は、同第２操作部材５を右方へ移動したときの状態を示す平面図及び断面図である。
【００３７】
また、図１０（ａ）に示すように、前記摘み部２４はその外観上の観賞効果を高めるために美麗な模様、色彩が施されたカバー（図示せず）を装着することもでき、更に、該摘み部２４の上面に凹部２４ａを設け、該凹部２４ａに別途作製した部品等を嵌着することもできる。
【００３８】
更にまた、図１０（ｂ）及び（ｃ）に示すように皿形可動接片８上面の略中央部、又は摘み部２４下面の該略中央部には凸部Ｗを設けることができる。該凸部Ｗは、例えばポリイミド、テフロン（登録商標）等の耐熱性テープの貼着、或いは、ポリイミド等の熱硬化性樹脂のポッティング等により形成することができる。このように構成すると、摘み部２４を皿形可動接片８の略中央部と対応する位置まで移動させたときに、皿形可動接片８の略中央部を前記凸部Ｗにて確実に押し下げることができる。然るときは、プレート２５は省略することも可能である。
【００３９】
なお、本発明は、本発明の精神を逸脱しない限り種々の改変を為すことができ、そして、本発明が該改変されたものに及ぶことは当然である。
【図面の簡単な説明】
【００４０】
【図１】本発明に係るプッシュ・スライドスイッチの外観斜視図。
【図２】本発明に係るプッシュ・スライドスイッチの外観平面図。
【図３】図２のＡ−Ａ線断面図。
【図４】本発明に係るプッシュ・スライドスイッチの分解斜視図。
【図５】ベースの平面図。
【図６】固定端子の配置図。
【図７】スライドスイッチ機能部の接点切り換えを模式的に示す結線図で、(ａ)は摘み部を右側にスライド切り換えさせたときの結線図、(ｂ)は摘み部を左側にスライド切り換えさせたときの結線図。
【図８】プッシュスイッチ機能部の接点切り換えを模式的に示す結線図で、(ａ)は摘み部を押下していないときの結線図、(ｂ)は摘み部を押下したときの結線図。
【図９】（ａ）はプッシュ・スライドスイッチの外観平面図、（ｂ）は上記（ａ）のｂ−ｂ線断面図、（ｃ）はプッシュ・スライドスイッチの他の外観平面図、（ｄ）は上記（ｃ）のｄ−ｄ線断面図。
【図１０】（ａ）は摘み部の上面に設けた凹部を示す斜視図、（ｂ）は同摘み部の正面図、（ｃ）は皿形可動接点の正面図。
【符号の説明】
【００４１】
１    プッシュ・スライドスイッチ
２    ベース
３    カバー
４    第１操作部材
５    第２操作部材
６    操作部材
７    スライド接片
８    皿形可動接片
１０〜１２  スライド用固定端子
１０ａ〜１２ａ，１１ｂ  外部端子部
１３，１４  プッシュ用固定端子
１３ａ，１４ａ  外部端子部
２１ａ，２１ｂ  ディテント係止用凹部
２４  摘み部
２５  プレート
２９  摘み用開口
３０  ディテントばね
【図１】
0004730171.tif 000002
【図２】
0004730171.tif 000003
【図３】
0004730171.tif 000004
【図４】
0004730171.tif 000005
【図５】
0004730171.tif 000006
【図６】
0004730171.tif 000007
【図７】
0004730171.tif 000008
【図８】
0004730171.tif 000009
【図９】
0004730171.tif 000010
【図１０】
0004730171.tif 000011